(57)【要約】【課題】小型化を図る。【解決手段】ノイズフィルタＡは、ハウジング１０と、ハウジング１０に取り付けられたアースブラケット３０と、ハウジング１０に取り付けられたフィルタ素子３４、３８と、ハウジング１０に取り付けられ、ワイヤーハーネス４７Ｆ，４７Ｒに対して嵌合・離脱が可能であり、且つフィルタ素子３４，３８に接続された端子金具２０Ｆ，２０Ｒとを備えている。端子金具２０Ｆ，２０Ｒにリード線を接続し、そのリード線の端末部にワイヤーハーネス用のコネクタを取り付ける場合に比べると、小型化が可能である。【選択図】図１
2019009537.tif 000002
【特許請求の範囲】
【請求項１】
ハウジングと、
前記ハウジングに取り付けられたアースブラケットと、
前記ハウジングに取り付けられたフィルタ素子と、
前記ハウジングに取り付けられ、ワイヤーハーネスに対して嵌合・離脱が可能であり、且つ前記フィルタ素子に接続された端子金具とを備えていることを特徴とするノイズフィルタ。
【請求項２】
前記フィルタ素子が、直線状の軸線を中心に線材を螺旋巻きしたコイルであり、
一対の前記端子金具が、前記軸線の延長線上に配されていることを特徴とする請求項１記載のノイズフィルタ。
【請求項３】
前記アースブラケットは、接地部に対し締結部材で固定される固定部を有しており、
前記固定部が、前記軸線の前記延長線に配されていることを特徴とする請求項２記載のノイズフィルタ。
【請求項４】
前記固定部が、前記接地部への投影面上において前記端子金具と重なるように配されていることを特徴とする請求項３記載のノイズフィルタ。
【請求項５】
前記ハウジングは、前記アースブラケットと一体化されたハウジング本体を備えており、
前記接地部への投影面上において前記固定部と重なる前記端子金具は、前記ハウジング本体に対して着脱可能であることを特徴とする請求項４記載のノイズフィルタ。
【請求項６】
前記フィルタ素子が、略Ｕ字形に屈曲した軸線を中心に線材を螺旋巻きしたコイルであり、
一対の前記端子金具が、互いに平行をなして前記軸線の端部の延長線上に配されていることを特徴とする請求項１記載のノイズフィルタ。
【発明の詳細な説明】
【技術分野】
【０００１】
本発明は、ノイズフィルタに関するものである。
【背景技術】
【０００２】
特許文献１には、コイル状のインダクタと２つのコンデンサとからなるπ型のＬＣフィルタを備えたノイズフィルタが開示されている。インダクタはケース内に収容され、インダクタの両端には入力端子と出力端子が接続されている。コンデンサから導出された２本のリード線は、端子と、ケースに取り付けたアースブラケットとに接続されている。
【先行技術文献】
【特許文献】
【０００３】
【特許文献１】特開２００９−２９０３７７号公報
【発明の概要】
【発明が解決しようとする課題】
【０００４】
入力端子と出力端子には電線が圧着によって接続されている。つまり、上記ノイズフィルタの使用形態としては、ワイヤーハーネスにノイズフィルタを一体化させ、ノイズフィルタをワイヤーハーネスに対して簡単に着脱できないようになっている。ワイヤーハーネスに対する着脱を可能とする手段としては、入力端子と出力端子に、夫々、一定長さの電線の一方の端部を圧着し、各電線の他方の端部に、ワイヤーハーネスに対する着脱が可能なコネクタを取り付ける形態が考えられる。しかし、そうすると、電線の長さの分だけノイズフィルタ全体が大きくなってしまう。
【０００５】
本発明は上記のような事情に基づいて完成されたものであって、小型化を図ることを目的とする。
【課題を解決するための手段】
【０００６】
本発明は、
ハウジングと、
前記ハウジングに取り付けられたアースブラケットと、
前記ハウジングに取り付けられたフィルタ素子と、
前記ハウジングに取り付けられ、ワイヤーハーネスに対して嵌合・離脱が可能であり、且つ前記フィルタ素子に接続された端子金具とを備えているところに特徴を有する。
【発明の効果】
【０００７】
ワイヤーハーネスに対して嵌合・離脱が可能な端子金具を設け、この端子金具をハウジングに取り付けた。端子金具にリード線を接続し、そのリード線の端末部にワイヤーハーネス用のコネクタを取り付ける場合に比べると、本発明のノイズフィルタは小型化が可能である。
【図面の簡単な説明】
【０００８】
【図１】実施例１のノイズフィルタの側断面図
【図２】ノイズフィルタにおいてカバーモジュールを本体モジュールから外した状態をあらわす平面図
【図３】実施例２のノイズフィルタの平断面図
【発明を実施するための形態】
【０００９】
本発明は、前記フィルタ素子が、直線状の軸線を中心に線材を螺旋巻きしたコイルであり、一対の前記端子金具が、前記軸線の延長線上に配されていてもよい。この構成によれば、コイルと一対の端子金具が概ね直線状に並ぶので、全体として細長い形状に纏めることができる。
【００１０】
本発明は、前記アースブラケットは、接地部に対し締結部材で固定される固定部を有しており、前記固定部が、前記軸線の前記延長線に配されていてもよい。この構成によれば、アースブラケットの固定部もコイルの軸線の延長線上に配されるので、全体として細長い形状に纏めることができる。
【００１１】
本発明は、前記固定部が、前記接地部への投影面上において前記端子金具と重なるように配されていてもよい。この構成によれば、コイルの軸線方向において小型化を図ることができる。
【００１２】
本発明は、前記ハウジングは、前記アースブラケットと一体化されたハウジング本体を備えており、前記接地部への投影面上において前記固定部と重なる前記端子金具は、前記ハウジング本体に対して着脱可能であってもよい。この構成によれば、端子金具をハウジング本体から外しておくことで、固定部を締結部材で接地部に固定する際の作業が行い易くなる。
【００１３】
本発明は、前記フィルタ素子が、略Ｕ字形に屈曲した軸線を中心に線材を螺旋巻きしたコイルであり、一対の前記端子金具が、互いに平行をなして前記軸線の端部の延長線上に配されていてもよい。この構成によれば、一対の端子金具に、ワイヤーハーネスの入力側端子と出力側端子を、ワンアクションで接続することが可能である。
【００１４】
＜実施例１＞
以下、本発明を具体化した実施例１を図１〜図２を参照して説明する。尚、以下の説明において、前後の方向については、図１〜２における左方を前方と定義する。上下の方向については、図１にあらわれる向きを、そのまま上方、下方と定義する。
【００１５】
本実施例１のノイズフィルタＡは、合成樹脂製のハウジング１０と、前側端子金具２０Ｆ（請求項に記載の端子金具）と、後側端子金具２０Ｒ（請求項に記載の端子金具）と、１つのアースブラケット３０と、１つのコイル３４（請求項に記載のフィルタ素子）と、一対のコンデンサ３８（請求項に記載のフィルタ素子）とを備えて構成されている。
【００１６】
ハウジング１０は、ハウジング本体１１と、カバー体１６とから構成されている。ハウジング本体１１は、上面が開放された箱形の収容部１２と、収容部１２を構成する後壁部１３Ｒから後方へ角筒状に延出した形態の後側フード部１４Ｒとを備えた単一部品である。収容部１２を構成する前壁部１３Ｆには、その下端縁から前方へ延出した係止部１５が形成されている。
【００１７】
カバー体１６は、水平な覆い部１７と、覆い部１７の前端縁から下方へ延出した端子保持部１８と、端子保持部１８から前方へ角筒状に延出した前側フード部１４Ｆとを有する単一部品である。カバー体１６をハウジング本体１１に組み付けた状態では、覆い部１７が収容部１２の上面の開口部を塞ぎ、端子保持部１８が前壁部１３Ｆの前面と対向するように配される。前側フード部１４Ｆは、ハウジング本体１１の前壁部１３Ｆ及び係止部１５の前端よりも前方に配される。また、端子保持部１８の下端部がハウジング本体１１の係止部１５に係止し、覆い部１７の前端部内面（下面）に形成した溝部１９が、ハウジング本体１１の前壁部１３Ｆの上端部に嵌合して係止状態となる。
【００１８】
前側端子金具２０Ｆは、フィルタ用端子２１とハーネス用端子２４の２部品を接続して構成されている。フィルタ用端子２１は、側面視形状がＬ字形をなすように屈曲した金属板材からなり、インサート成形や圧入等の手段によって前壁部１３Ｆに一体化された状態で取り付けられている。フィルタ用端子２１の水平な前側溶接部２２Ｆは、前壁部１３Ｆから後方へ突出して収容部１２内に収容され、収容部１２を構成する底壁部２７の上面前端部に載置されている。フィルタ用端子２１の鉛直方向を向いた受圧部２３は、前壁部１３Ｆの前面に沿うように配されている。
【００１９】
ハーネス用端子２４は、側面視形状が概ねＬ字形をなすように屈曲した金属板材からなり、インサート成形や圧入等の手段により端子保持部１８に一体化された状態で取り付けられている。ハーネス用端子２４の水平な前側タブ２５Ｆは、端子保持部１８から前方へ突出し、前側フード部１４Ｆに包囲されている。ハーネス用端子２４の鉛直方向の弾性接触部２６は、端子保持部１８の後面に沿うように配され、フィルタ用端子２１の受圧部２３に対し弾性的に接触している。
【００２０】
弾性接触部２６の弾力により、ハーネス用端子２４とカバー体１６は、ハウジング本体１１及びフィルタ用端子２１に対して前方へ相対変位しようとする。しかし、端子保持部１８の下端部がハウジング本体１１の係止部１５に係止し、覆い部１７の溝部１９がハウジング本体１１の前壁部１３Ｆに係止しているので、ハーネス用端子２４がフィルタ用端子２１に対して前方へ相対変位することはない。これより、フィルタ用端子２１とハーネス用端子２４が所期の接触圧で確実に導通可能に接続されている。
【００２１】
後側端子金具２０Ｒは、側面視形状が階段状に屈曲した金属板材からなり、圧入やインサート成形等の手段によって収容部１２の後壁部１３Ｒに一体化された状態で取り付けられている。後側端子金具２０Ｒの水平な後側溶接部２２Ｒは、収容部１２の内部に配され、収容部１２の底壁部２７の上面後端部に載置されている。後側端子金具２０Ｒの水平な後側タブ２５Ｒは、後壁部１３Ｒから後方へ突出して後側フード部１４Ｒに包囲されている。
【００２２】
アースブラケット３０は、水平な金属板材からなる。アースブラケット３０のうち前端部を除いた大部分はブラケット本体部３１であり、ブラケット本体部３１は、インサート成形等の手段により収容部１２の底壁部２７の下面に重なった状態でハウジング本体１１と一体化されている。アースブラケット３０の前端部は、ハウジング本体１１の前端よりも更に前方へ突出しており、車両ボディ等の接地部Ｅに対して導通可能に固定される固定部３２として機能する。固定部３２には、上下方向（アースブラケット３０の板厚方向）に貫通する取付孔３３が形成されている。
【００２３】
アースブラケット３０の固定部３２は、平面視において、前側フード部１４Ｆ及び前側端子金具２０Ｆと重なるように配されており、取付孔３３は前側フード部１４Ｆによって覆い隠された状態となる。ノイズフィルタＡ（アースブラケット３０）を接地部Ｅに固定する際には、アースブラケット３０の上面側から取付孔３３にボルト４５（請求項に記載の締結部材）を挿通し、そのボルト４５を、接地部Ｅの下面に固定されているナット４６（請求項に記載の締結部材）にねじ込んで締め付ける。そのため、ボルト４５の締付け作業は、ハウジング本体１１からカバー体１６を外した状態で行われる。
【００２４】
コイル３４は、前後方向の直線状の軸線３５を中心として金属素線を螺旋巻きしたものであり、インダクタとして機能する。コイル３４の中心孔にはコイル３４と同軸の円柱形をなすコア３７が収容されている。コイル３４は、収容部１２内に収容されて底壁部２７に載置された状態で取り付けられている。コイル３４を構成する金属素線の前端部は、前側端子金具２０Ｆの前側溶接部２２Ｆの上面に半田付け等の手段により導通可能に固着されている。コイル３４を構成する金属素線の後端部は、後側端子金具２０Ｒの後側溶接部２２Ｒの上面に半田付け等の手段により導通可能に固着されている。
【００２５】
一対のコンデンサ３８は、全体として幅寸法に対して前後寸法と上下寸法の大きい厚板状をなす。各コンデンサ３８は、コンデンサ本体３９と、コンデンサ本体３９の上面から導出された前後一対のリード線４０とを備えたものである。一対のコンデンサ３８は、コイル３４とともにπ型フィルタを構成する。
【００２６】
図２における上側に配されたコンデンサ３８の前側のリード線４０は、アースブラケット３０のブラケット本体部３１のうち底壁部２７の開口部４１から露出する上面に、半田付けにより導通可能に固着されている。このコンデンサ３８の後側のリード線４０は、半田付けにより後側端子金具２０Ｒの後側溶接部２２Ｒの上面に導通可能に固着されている。
【００２７】
図２における下側に配されたコンデンサ３８の前側のリード線４０は、半田付けにより前側端子金具２０Ｆの前側溶接部２２Ｆの上面に導通可能に固着されている。このコンデンサ３８の後側のリード線４０は、アースブラケット３０のブラケット本体部３１のうち底壁部２７の開口部４２から露出する上面に、半田付けにより導通可能に固着されている。
【００２８】
ハウジング本体１１に、前側端子金具２０Ｆのうちのフィルタ用端子２１と、後側端子金具２０Ｒと、アースブラケット３０と、コイル３４と、一対のコンデンサ３８とを組み付けることで、本体モジュール４３が構成されている。また、カバー体１６に、前側端子金具２０Ｆのうちのハーネス用端子２４を組み付けることで、カバーモジュール４４が構成されている。
【００２９】
本実施例１のノイズフィルタＡを接地部Ｅに取り付ける際には、本体モジュール４３とカバーモジュール４４を分離しておき、本体モジュール４３を接地部Ｅの上面に載置して、アースブラケット３０の取付孔３３をナット４６に位置合わせする。次に、ボルト４５を取付孔３３に挿通してナット４６にねじ込む。このとき、取付孔３３は、ハウジング本体１１の前端より前方に位置するので、ハウジング本体１１がボルト４５をねじ込む作業の妨げにはならない。ボルト４５をナット４６に締め付けると、本体モジュール４３が接地部Ｅに固定される。
【００３０】
この後、本体モジュール４３にカバーモジュール４４を組み付けると、ノイズフィルタＡの組付け作業と、ノイズフィルタＡの接地部Ｅへの固定作業が完了する。本体モジュール４３にカバーモジュール４４を組み付ける際には、カバー体１６の溝部１９をハウジング本体１１の前壁部１３Ｆに嵌合するとともに、カバー体１６の端子保持部１８をハウジング本体１１の係止部１５に係止させる。
【００３１】
本体モジュール４３にカバーモジュール４４を組み付けると、前側フード部１４Ｆが、取付孔３３及びボルト４５の上方に位置し、ボルト４５を覆い隠す状態となる。カバーモジュール４４は、ボルト４５をナット４６に締め付けた後で、ハウジング１０モジュールに組み付けるので、ボルト４５を締め付ける作業の際に、カバーモジュール４４（前側フード部１４Ｆ）の存在が邪魔になることはない。
【００３２】
また、前側フード部１４Ｆには、ノイズフィルタＡの前方から第１ワイヤーハーネス４７Ｆ（請求項に記載のワイヤーハーネス）の後端部に取り付けた第１コネクタ４８Ｆが嵌合され、後側フード部１４Ｒには、ノイズフィルタＡの前方から第２ワイヤーハーネス４７Ｒ（請求項に記載のワイヤーハーネス）の前端部に取り付けた第２コネクタ４８Ｒが嵌合される。
【００３３】
第１コネクタ４８Ｆを嵌合した状態では、第１コネクタ４８Ｆに設けたハーネス側入力端子（図示省略）が、入力用端子として機能する前側端子金具２０Ｆに対し雌雄嵌合によって接続され、第２コネクタ４８Ｒに設けたハーネス側出力端子（図示省略）が出力用端子として機能する後側端子金具２０Ｒに対し雌雄嵌合によって接続される。第１ワイヤーハーネス４７ＦはノイズフィルタＡから前方へ延び、第２ワイヤーハーネス４７ＲはノイズフィルタＡから後方へ延びる。したがって、ノイズフィルタＡは、２本のワイヤーハーネス４７Ｆ，４７Ｒの配索経路上に位置することになる。
【００３４】
本体モジュール４３にカバーモジュール４４を組み付けた状態では、平面視においてコイル３４の軸線３５を前後方向へ延長させたときに、その延長線３６の上に前側端子金具２０Ｆと後側端子金具２０Ｒが位置する。さらに、この延長線３６上には、アースブラケット３０の固定部３２も位置する。したがって、ノイズフィルタＡの平面視形状は、左右方向へ局部的に突出する部位が存在しない。したがって、ノイズフィルタＡは全体として前後方向に長い形状にまとまっている。
【００３５】
本実施例１のノイズフィルタＡは、ハウジング１０と、ハウジング１０に取り付けられたアースブラケット３０と、ハウジング１０に取り付けられたフィルタ素子としてのコイル３４及びコンデンサ３８と、ハウジング１０に取り付けられ、ワイヤーハーネス４７Ｆ，４７Ｒに対して嵌合・離脱が可能であり、且つコイル３４とコンデンサ３８に接続された前側端子金具２０Ｆ及び後側端子金具２０Ｒとを備えている。
【００３６】
本実施例１のノイズフィルタＡは、ワイヤーハーネス４７Ｆ，４７Ｒに対して雌雄嵌合による嵌合・離脱が可能な端子金具２０Ｆ，２０Ｒを設け、これらの端子金具２０Ｆ，２０Ｒをハウジング１０に取り付けた。端子金具にリード線を接続し、そのリード線の端末部にワイヤーハーネス用のコネクタを取り付ける場合に比べると、本実施例１のノイズフィルタＡは小型化が可能である。
【００３７】
また、フィルタ素子として、直線状の軸線３５を中心に線材を螺旋巻きしたコイル３４が用いられている。前側端子金具２０Ｆと後側端子金具２０Ｒは、コイル３４の軸線３５の延長線３６上に配され、且つコイル３４を挟んで互いに反対側の位置に配されている。さらに、アースブラケット３０は、接地部Ｅに対しボルト４５とナット４６で固定される固定部３２を有しているが、固定部３２が、コイル３４の軸線３５の延長線３６上に配されている。この構成によれば、コイル３４と前後一対の端子金具２０Ｆ，２０Ｒとアースブラケット３０が概ね直線状に並ぶので、ノイズフィルタＡを全体として細長い形状に纏めることが実現された。
【００３８】
また、前側端子金具２０Ｆは、ハーネス側入力端子に対し雌雄嵌合（抜き挿し）のみによって接続・離脱する入力用端子として機能する。後側端子金具２０Ｒは、ハーネス側出力端子に雌雄嵌合（対し抜き挿し）のみによって接続・離脱する出力用端子として機能する。ここで、前側端子金具２０Ｆと後側端子金具２０Ｒは、コイル３４を挟んで互いに反対側に配されているので、入力用端子（前側端子金具２０Ｆ）と出力用端子（後側端子金具２０Ｒ）が前後方向に離れた位置関係となる。したがって、クロストークが発生し難くなっている。
【００３９】
また、固定部３２は、接地部Ｅへの投影面上（つまり、平面視）において、前側端子金具２０Ｆ及び前側フード部１４Ｆと重なるように配されている。この構成によれば、コイル３４の軸線３５と平行な方向（前後方向）において、ノイズフィルタＡの小型化を図ることができる。
【００４０】
さらに、接地部Ｅへの投影面上において固定部３２と重なる前側端子金具２０Ｆと前側フード部１４Ｆは、アースブラケット３０と一体化されたハウジング本体１１に対し着脱可能である。この構成によれば、前側端子金具２０Ｆを備えたカバーモジュール４４をハウジング本体１１（ハウジング１０モジュール）から外しておくことで、固定部３２をボルト４５とナット４６で接地部Ｅに固定する際の作業が行い易くなる。
【００４１】
＜実施例２＞
次に、本発明を具体化した実施例２を図３を参照して説明する。尚、以下の説明において、前後の方向については、図３における下方を前方と定義する。左右方向については、図３にあらわれる向きを、そのまま左方、右方と定義する。
【００４２】
本実施例２のノイズフィルタＢは、合成樹脂製のハウジング５０と、左右対称な一対の端子金具５５と、１つのアースブラケット５８と、１つのコイル６２（請求項に記載のフィルタ素子）と、一対のコンデンサ６６（請求項に記載のフィルタ素子）とを備えて構成されている。
【００４３】
ハウジング５０は、ハウジング本体５１と、カバー（図示省略）とから構成されている。ハウジング本体５１は、上面が開放された箱形の収容部５２と、収容部５２を構成する前壁部５３から前方へ角筒状に延出した形態のフード部５４とを備えた単一部品である。カバーは、収容部５２の上面の開口部を閉塞するものである。
【００４４】
端子金具５５は、前後方向に細長く、板厚方向を上下方向に向けた金属板材からなり、ハウジング本体５１に一体化されている。一対の端子金具５５は、圧入やインサート成形等の方法により、前壁部５３を前後に貫通した形態でハウジング本体５１に取り付けられている。端子金具５５の後端部は、前壁部５３から収容部５２内に突出しており、溶接部５６として機能する。端子金具５５の前端部は、前壁部５３からフード部５４内に突出しており、ワイヤーハーネス７２，７３に対して嵌合・離脱が可能なタブ５７として機能する。
【００４５】
アースブラケット５８は、平面視が略方形をなす水平な金属板材からなる。アースブラケット５８の略中央部には、アースブラケット５８を板厚方向に貫通する取付孔５９が形成されている。アースブラケット５８の下面のうち少なくとも取付孔５９が形成されている領域は、ハウジング５０の底面に露出して、接地部Ｅ（図示省略）に対し面当たり状態で当接し得るようになっている。アースブラケット５８の上面のうち取付孔５９が形成されている領域は、ハウジング５０の底壁部６０に形成した開口部６１において収容部５２内に露出している。
【００４６】
ノイズフィルタＢ（アースブラケット５８）を接地部Ｅに固定する際には、ハウジング本体５１からカバーを外した状態で、アースブラケット５８の上面側から取付孔５９に締結部材としてのボルト（図示省略）を挿通し、そのボルトを、接地部Ｅの下面に固定されている締結部材としてのナット（図示省略）にねじ込んで締め付ける。
【００４７】
コイル６２は、平面視形状が略Ｕ字形をなすコア６３の外周に金属線材を螺旋巻きしたものであり、インダクタとして機能する。コイル６２は、収容部５２内に収容されて底壁部６０に載置された状態で取り付けられている。コイル６２の軸線６４は、コア６３の軸線６４と同じく平面視形状が略Ｕ字形をなすように屈曲している。コイル６２の軸線６４の両端部は、いずれも前後方向を向いている。平面視において、コイル６２の軸線６４の端部の延長線６５上には、上記一対の端子金具５５が重なるように配されている。コイル６２を構成する金属素線の両端部は、一対の端子金具５５の溶接部５６の上面に半田付け等の手段により導通可能に固着されている。
【００４８】
一対のコンデンサ６６は、全体として幅寸法に対して前後寸法と上下寸法の大きい厚板状をなす。一対のコンデンサ６６は、収容部５２内に収容され、コイル６２を左右両側から挟むように配されている。各コンデンサ６６は、コンデンサ本体６７と、コンデンサ本体６７の上面から導出された前後一対のリード線６８とを備えたものである。一対のコンデンサ６６は、コイル６２とともにπ型フィルタを構成する。
【００４９】
図３における左側に配されたコンデンサ６６の前側のリード線６８は、左側の端子金具５５の溶接部５６に半田付けにより導通可能に固着されている。左側に配されたコンデンサ６６の後側のリード線６８は、アースブラケット５８のうち底壁部６０の開口部６９から露出する上面に、半田付けにより導通可能に固着されている。右側に配されたコンデンサ６６の前側のリード線６８は、右側の端子金具５５の溶接部５６に半田付けにより導通可能に固着されている。右側に配されたコンデンサ６６の後側のリード線６８は、アースブラケット５８のうち底壁部６０の開口部７０から露出する上面に、半田付けにより導通可能に固着されている。
【００５０】
本実施例２のノイズフィルタＢを接地部Ｅ（図示省略）に取り付ける際には、ハウジング本体５１からカバーを外しておき、ハウジング本体５１を接地部Ｅの上面に載置して、アースブラケット５８の取付孔５９をナットに位置合わせする。次に、ボルトを取付孔５９に挿通してナットにねじ込む。ボルトをナットに締め付けると、ハウジング本体５１が接地部Ｅに固定される。この後、ハウジング本体５１にカバーを取り付けると、ノイズフィルタＢの組付け作業と、ノイズフィルタＢの接地部Ｅへの固定作業が完了する。
【００５１】
フード部５４には、ノイズフィルタＢの前方からコネクタ７１が嵌合される。コネクタ７１からは、入力側ワイヤーハーネス７２（請求項に記載のワイヤーハーネス）と出力側ワイヤーハーネス７３（請求項に記載のワイヤーハーネス）が前方へ延出している。フード部５４内にタブ５７を臨ませた左右一対の端子金具５５のうち一方の端子金具５５は、入力用端子として機能し、他方の端子金具５５は、出力用端子として機能する。
【００５２】
コネクタ７１をフード部５４に嵌合した状態では、コネクタ７１に設けたハーネス側入力端子（図示省略）と、入力用端子として機能する端子金具５５とが雌雄嵌合によって続され、コネクタ７１に設けたハーネス側出力端子（図示省略）と、出力用端子として機能する端子金具５５とが雌雄嵌合によって接続される。コネクタ７１をフード部５４から離脱させると、ハーネス側入力端子とハーネス側出力端子が、夫々、入力用端子として機能する端子金具５５と出力用端子として機能する端子金具５５から離脱する。
【００５３】
本実施例２のノイズフィルタＢは、ハウジング５０と、ハウジング５０に取り付けられたアースブラケット５８と、ハウジング５０に取り付けられたフィルタ素子としてのコイル６２及びコンデンサ６６と、ハウジング５０に取り付けられ、ワイヤーハーネス７２，７３に対して雌雄嵌合（抜き挿しのみ）によって嵌合・離脱が可能であり、且つコイル６２とコンデンサ６６に接続された左右一対の端子金具５５とを備えている。
【００５４】
本実施例２のノイズフィルタＢは、ワイヤーハーネス７２，７３に対して嵌合・離脱が可能な端子金具５５を設け、これらの端子金具５５をハウジング５０に取り付けた。端子金具にリード線を接続し、そのリード線の端末部にワイヤーハーネス用のコネクタを取り付ける場合に比べると、本実施例２のノイズフィルタＢは小型化が可能である。
【００５５】
また、フィルタ素子は、略Ｕ字形に屈曲した軸線６４を中心に金属線材を螺旋巻きしたコイル６２からなり、一対の端子金具５５が、互いに平行をなして軸線６４の端部の延長線６５上に配されている。この構成によれば、一対の端子金具５５に、ワイヤーハーネス７２，７３のハーネス側入力端子とハーネス側出力端子を、ワンアクションで接続することが可能である。
【００５６】
＜他の実施例＞
本発明は上記記述及び図面によって説明した実施例に限定されるものではなく、例えば次のような実施例も本発明の技術的範囲に含まれる。  
（１）上記実施例１では、アースブラケットの固定部をコイルの軸線の延長線上に配したが、アースブラケットの固定部は、コイルの軸線の延長線から外れた領域に配してもよい。  
（２）上記実施例１では、アースブラケットの固定部を、接地部への投影面上において端子金具と重なるように配したが、固定部は、接地部への投影面上において端子金具から外れた領域に配してもよい。  
（３）上記実施例１では一対の端子金具が互いに反対向きに配され、実施例２では一対の端子金具が互いに平行に配されているが、一対の端子金具は、互いに直交する向きに配されていてもよく、互いに斜めを向くように配されていてもよい。
【符号の説明】
【００５７】
Ａ…ノイズフィルタ
Ｂ…ノイズフィルタ
Ｅ…接地部
１０…ハウジング
１１…ハウジング本体
２０Ｆ…前側端子金具（端子金具）
２０Ｒ…後側端子金具（端子金具）
３０…アースブラケット
３２…固定部
３４…コイル（フィルタ素子）
３５…コイルの軸線
３６…コイルの軸線の延長線
３８…コンデンサ（フィルタ素子）
４５…ボルト（締結部材）
４６…ナット（締結部材）
４７Ｆ…第１ワイヤーハーネス（ワイヤーハーネス）
４７Ｒ…第２ワイヤーハーネス（ワイヤーハーネス）
５０…ハウジング
５５…端子金具
５８…アースブラケット
６２…コイル（フィルタ素子）
６４…コイルの軸線
６５…コイルの軸線の端部の延長線
６６…コンデンサ（フィルタ素子）
７２…入力側ワイヤーハーネス（ワイヤーハーネス）
７３…出力側ワイヤーハーネス（ワイヤーハーネス）
【図１】
2019009537.tif 000003
【図２】
2019009537.tif 000004
【図３】
2019009537.tif 000005